(57)【要約】 【課題】  受信装置間の接続を工夫して、複数の受信装置の中で最も信号品質の良い送信情報を受信した受信装置から送出されてくる受信信号に基づいて信号処理できるようにする。【解決手段】  無線受信エリア内を移動操作されて送信情報を取得し、かつ、当該送信情報を無線送信する送信装置４と、この送信装置４から送信されてくる送信情報を受信する３台の受信装置１０１〜１０３と、この受信装置１０１等から送出される受信信号に基づいて信号処理をする信号処理装置６１とを備え、受信装置１０１等は、予め無線受信エリア内に配置され、かつ、当該受信装置１０１等がカスケード接続されるものである。この構成によって、受信装置間を通信ケーブルでディジーチェーンのように接続して無線受信処理システムを構築できるので、従来方式のように受信装置分の通信ケーブル等の配線を引き廻す必要がなくなる。【選択図】    図１
2005260695.tif 000002
【特許請求の範囲】
【請求項１】
無線受信エリア内で送信情報を送受信処理するシステムであって、
前記無線受信エリア内を移動操作されて送信情報を無線送信する送信装置と、
前記送信装置から送信されてくる送信情報を受信する複数の受信装置と、
前記受信装置から送出される受信信号に基づいて信号処理をする信号処理装置とを備え、
前記受信装置は、
予め無線受信エリア内に配置され、かつ、当該受信装置間がカスケード接続されることを特徴とする情報送受信処理システム。
【請求項２】
複数の前記受信装置は、
単一の送信装置からの送信情報を同時に受信することを特徴とする請求項１に記載の情報送受信処理システム。
【請求項３】
複数の前記受信装置がカスケード接続された無線受信処理システムを１系統としたとき、
ｎ系統の前記無線受信処理システムが備えられることを特徴とする請求項１に記載の情報送受信処理システム。
【請求項４】
前記受信装置は、
前記送信情報を受信して受信信号を出力する受信手段と、
前記受信手段から出力される受信信号と、前段の受信装置から送られてきた受信信号とを比較し、信号品質の良い方の受信信号を選択して後段の受信装置に転送する信号比較選出手段とを備えることを特徴とする請求項１に記載の情報送受信処理システム。
【請求項５】
前記受信手段から出力される受信信号を保持するメモリを備え、
前記信号比較選出手段は、
前記メモリから読み出される受信信号と、前段の受信装置から送られてきた受信信号とを比較する判定器と、
前記判定器による判定結果によって信号品質の良い方の受信信号を選択して後段の受信装置に転送する中継器とを有することを特徴とする請求項４に記載の情報送受信処理システム。
【請求項６】
無線受信エリア内を移動操作される送信装置から無線送信される送信情報を受信処理する装置であって、
前記送信情報を受信して受信信号を出力する受信手段と、
前記受信手段から出力される受信信号と、前段の受信装置から送られてきた受信信号とを比較し、信号品質の良い方の受信信号を選択して後段の受信装置に転送する信号比較選出手段とを備えることを特徴とする受信装置。
【請求項７】
前記受信手段から出力される受信信号を保持するメモリを備え、
前記信号比較選出手段は、
前記メモリから読み出される受信信号と、前段の受信装置から送られてきた受信信号とを比較する判定器と、
前記判定器による判定結果によって信号品質の良い方の受信信号を選択して後段の受信装置に転送する中継器とを有することを特徴とする請求項６に記載の受信装置。
【請求項８】
送信情報を無線送信して受信処理する方法であって、
予め無線受信エリア内に複数の受信装置を配置し、かつ、当該受信装置をカスケード接続する行程と、
前記無線受信エリア内で送信装置を移動して送信情報を取得し、かつ、当該送信装置から前記受信装置へ送信情報を送信する行程と、
前記送信装置から送信されてくる送信情報を前記受信装置で受信する行程と、
複数の前記受信装置の中で最も信号品質の良い送信情報を受信した受信装置を抽出する行程と、
抽出された前記受信装置から送出される受信信号に基づいて信号処理をする行程とを有することを特徴とする情報送受信処理方法。
【請求項９】
前記受信装置で受信した送信情報に係る受信信号と、１又は２以上の前段の受信装置から送られてきた受信信号とを比較する行程と、
前記比較の結果で信号品質の良い方の受信信号を選択して後段の受信装置に転送する信号比較選出処理をする行程とを有することを特徴とする請求項８に記載の情報送受信処理方法。
【発明の詳細な説明】
【技術分野】
【０００１】
本発明は、スタジオ無線撮影システムやステージ無線撮影システム等に適用して好適な情報送受信処理システム、受信装置及び情報送受信処理方法に関する。詳しくは、無線受信エリア内で送信情報を送受信処理する場合に、予め無線受信エリア内に受信装置を配置し、かつ、当該受信装置間をカスケード接続して、無線受信処理システムを構築できるようにすると共に、複数の受信装置の中で最も信号品質の良い送信情報を受信した受信装置から送出されてくる受信信号に基づいて信号を処理できるようにしたものである。
【背景技術】
【０００２】
従来から、情報を伝達する媒体として電波が使用される場合が多い。例えば、音声処理分野では、駅構内やカラオケ店舗等において、ワイヤレスマイクを備えた情報送受信処理システムが利用される場合が多い。
【０００３】
図１６Ａ及びＢは、従来例に係る第１の情報送受信処理システム１０の構成例を示すブロック図である。図１６Ａに示す情報送受信システム１０によれば、無線送信機能付きのマイクロフォン本体等（以下単に送信装置４という）や、その受信装置１、音声処理装置７等が装備される。送信装置４は移動可能であり、その本体にはアンテナ８が設けられ、受信装置にはアンテナ１３が設けられる。このシステム１０で、図示しないマイクロフォンによって、集音された音声信号は、送信装置４で搬送波信号を変調するようになされる。変調後の送信電波は、受信装置１に向けて輻射される。受信装置１では、送信電波を受信して復調される。受信装置１には音声処理装置７が接続され、復調後の音声信号が増幅されて拡声出力するようになされる。
【０００４】
図１６Ｂは、遮蔽物影響時の送信例を示すブロック図である。図１６Ｂに示す送信装置４０と、受信装置１との間に、遮蔽物５が介在された場合、良好な送信処理を実行できない事態がしばしば起こる。特に、送信電波として直進性の高いミリ波を用いた場合に、遮蔽物５の影響が顕著に現れ、音声処理装置７から出力される音声（通信）がとぎれてしまう場合がある。
【０００５】
図１７は、従来例に係る第２の情報送受信処理システム８０の構成例を示すブロック図である。
図１７に示す情報送受信処理システム８０は、情報送受信システム１０を改良したものである。その改良点は、単一の送信電波を複数台の受信装置１〜３で同時に受信する方法である。この方法を用いれば、例えば、送信装置４と受信装置１との間のパスが遮蔽物５により遮られたとしても、同じ送信電波（以下送信情報ともいう）を受信装置２と受信装置３で受信しているため、確実に信号を受信できるというものである。
【０００６】
３台の受信装置１〜３の出力段には、音声処理装置７１が接続される。受信装置１と音声処理装置７１との間は、長さＬ１の通信ケーブルで接続され、受信装置２と音声処理装置７１との間は、長さＬ２の通信ケーブルで接続され、受信装置３と音声処理装置７１との間は、長さＬ３の通信ケーブルで各々接続される。
通信ケーブルの長さは、受信装置１〜３の取り付け位置にもよるが、Ｌ１は、３０ｍ程度、Ｌ２は２５ｍ程度、Ｌ３は２０ｍ程度である。都合、３本の通信ケーブルが必要になる。音声処理装置７１では、３台の受信装置１〜３から出力される最も品質の良い音声信号を検出して音声処理等をするようになされる。
【０００７】
この種の情報送受信処理システムに関連して特許文献１には、室内無線通信システムが開示されている。このシステムによれば、人が存在し、あるいは、什器等の遮蔽物が置かれた室内において、親機と子機との間で情報送受処理をする場合に、指向性の鋭いアンテナを親機と子機とに取り付け、什器等の遮蔽物を迂回するように、反射鏡及び副反射鏡を配置する。親機のアンテナから輻射された送信電波は、当該アンテナから反射鏡へ向かう伝搬路、反射鏡から副反射鏡へ向かう伝搬路、副反射鏡から子機のアンテナに至る伝搬路を経由して受信される。
【０００８】
このようにシステムを構成すると、親機から子機を直接見通せる通信路に、人の動きや、什器等の遮蔽物により閉ざされた場合でも、その遮蔽物に影響されずにマルチパスの発生を大幅に低減でき、通信路を確保できるというものである。
【０００９】
【特許文献１】特開平９−５１２９３号公報（第３頁  第１図）
【発明の開示】
【発明が解決しようとする課題】
【００１０】
ところで、従来例に係る第２の情報送受信処理システムによれば、以下のような問題がある。
【００１１】
ｉ．音声処理装置７１で必要なのは、３台の受信装置１〜３から送られてくる信号の中で最も品質の良い信号だけであるにも係わらず、遮蔽物５の有無に関係なく、３台の受信装置１〜３の全て音声信号（以下受信信号ともいう）を音声処理装置７１まで伝送しなければならない。
【００１２】
ii．また、受信装置の数が増えるに従って通信ケーブルの本数も増えていき、配線事態がますます煩雑化するようになる。
【００１３】
iii．受信装置の数を増やそうとすると、音声処理装置（以下単に信号処理装置ともいう）７１の入力端子数も同時に増やさなければならず、拡張性に欠ける。
【００１４】
iv．なお、特許文献１によれば、室内に複数の反射鏡及び副反射鏡を設けなくてはならず設備が大がかりになったり、建物自体に手を加えなければならなくなる。
【００１５】
そこで、この発明はこのような従来の課題を解決したものであって、受信装置間の接続を工夫して、複数の受信装置の中で最も信号品質の良い送信情報を受信した受信装置から送出されてくる受信信号に基づいて信号処理をできるようにした情報送受信処理システム、受信装置及び情報送受信処理方法を提供することを目的とする。
【課題を解決するための手段】
【００１６】
上述した課題は、無線受信エリア内で送信情報を情報送受信処理するシステムであって、無線受信エリア内を移動操作されて送信情報を無線送信する送信装置と、この送信装置から送信されてくる送信情報を受信する複数の受信装置と、この受信装置から送出される受信信号に基づいて信号処理をする信号処理装置とを備え、受信装置は、予め無線受信エリア内に配置され、かつ、当該受信装置間がカスケード接続されることを特徴とする情報送受信処理システムによって解決される。
【００１７】
本発明に係る情報送受信処理システムによれば、無線受信エリア内で送信情報を送受信処理する場合に、送信装置は、無線受信エリア内を移動操作されて送信情報を無線送信する。また、予め無線受信エリア内に配置され、かつ、カスケード接続された複数の受信装置は、送信装置から送信されてくる送信情報を受信する。
【００１８】
従って、受信装置間を通信ケーブルでディジーチェーンのように接続した無線受信処理システムを構築できるので、従来方式のように受信装置分の通信ケーブル等の配線を引き廻す必要がなくなる。しかも、受信装置を増やす場合は、当該システムで最終端に接続された受信装置に増設用の受信装置をカスケード接続するだけで容易にシステムを拡張することができる。
【００１９】
また、各々の受信装置では、例えば、当該受信装置で受信した送信情報に係る受信信号と、他の受信装置から送られてきた受信信号とが比較され、信号品質の良い方の受信信号を選択して後段の受信装置に転送するようになされる（信号比較選出機能）。従って、複数の受信装置の中で最も信号品質の良い送信情報を受信した受信装置の受信信号を抽出することができる。
【００２０】
これを前提にして、信号処理装置は、受信装置から送出される受信信号に基づいて信号処理をする。信号処理装置では、先に抽出された受信装置から送出される最も信号品質の良い受信信号に基づいて信号処理することができるようになる。しかも、送信装置が無線受信エリア内を移動して、それぞれの受信装置における送信情報の受信状況が変化したとしても、それぞれの受信装置が変化に適応し、リアルタイムに常に品質の良い信号を判定し、受信信号を信号処理装置へ伝送することができる。
【００２１】
従って、信号処理装置に到達する受信信号は、常に情報送受信処理システムで受信した送信情報のうち、最高品質の送信情報のみであり、受信装置から送出される受信信号に関して信号処理装置で改めて品質判定をする必要がなくなる。
【００２２】
本発明に係る受信装置は、無線受信エリア内を移動操作される送信装置から無線送信される送信情報を受信処理する装置であって、送信情報を受信して受信信号を出力する受信手段と、この受信手段から出力される受信信号と、前段の受信装置から送られてきた受信信号とを比較し、信号品質の良い方の受信信号を選択して後段の受信装置に転送する信号比較選出手段とを備えるものである。
【００２３】
本発明に係る受信装置によれば、無線受信エリア内を移動操作される送信装置から無線送信される送信情報を無線受信処理する場合に、受信手段は、送信情報を受信して受信信号を出力する。これを前提にして、信号比較選出手段は、受信手段から出力される受信信号と、前段の受信装置から送られてきた受信信号とを比較し、信号品質の良い方の受信信号を選択して後段の受信装置に転送するようになされる。従って、複数の受信装置の中で最も信号品質の良い送信情報を受信した受信装置の受信信号を抽出することができる。
【００２４】
本発明に係る情報送受信処理方法は、送信情報を無線送信して受信処理する方法であって、予め無線受信エリア内に複数の受信装置を配置し、かつ、当該受信装置をカスケード接続する行程と、無線受信エリア内で送信装置を移動して送信情報を取得し、かつ、当該送信装置から受信装置へ送信情報を送信する行程と、送信装置から送信されてくる送信情報を受信装置で受信する行程と、複数の受信装置の中で最も信号品質の良い送信情報を受信した受信装置を抽出する行程と、ここで抽出された受信装置から送出される受信信号に基づいて信号処理をする行程とを有することを特徴とするものである。
【００２５】
本発明に係る情報送受信処理方法によれば、無線受信エリア内で送信情報を送受信処理する場合に、受信装置間を通信ケーブルでディジーチェーンのように接続できるので、従来方式のように受信装置分の通信ケーブル等の配線を引き廻す必要がなくなる。しかも、複数の受信装置の中で最も信号品質の良い送信情報を受信した受信装置から送出されてくる受信信号に基づいて信号処理することができる。
【発明の効果】
【００２６】
本発明に係る情報送受信処理システム及び情報送受信処理方法によれば、無線受信エリア内で送信情報を送受信処理する場合に、予め無線受信エリア内に複数の受信装置が配置され、かつ、当該受信装置間がカスケード接続されるものである。
【００２７】
この構成によって、受信装置間を通信ケーブルでディジーチェーンのように接続した無線受信処理システムを構築できるので、従来方式のように受信装置分の通信ケーブル等の配線を引き廻す必要がなくなる。しかも、受信装置を増やす場合は、当該システムで最終端に接続された受信装置に増設用の受信装置をカスケード接続するだけで容易にシステムを拡張することができる。また、複数の受信装置の中で最も信号品質の良い送信情報を受信した受信装置から送出されてくる受信信号に基づいて信号処理することができる。
【００２８】
本発明に係る受信装置によれば、無線受信エリア内を移動操作される送信装置から無線送信されてきた送信情報を受信処理する場合に、その送信情報を受信した受信手段から出力される受信信号と、前段の受信装置から送られてきた受信信号とを比較し、信号品質の良い方の受信信号を選択して後段の受信装置に転送する信号比較選出手段を備えるものである。
【００２９】
この構成によって、複数の受信装置の中で最も信号品質の良い送信情報を受信した受信装置の受信信号を抽出することができる。従って、当該受信装置を放送局のスタジオ無線撮影システムや劇場のステージ無線撮影システム等に十分に応用することができる。
【発明を実施するための最良の形態】
【００３０】
続いて、この発明に係る情報送受信処理システム、受信装置及び情報送受信処理方法の一実施例について、図面を参照しながら説明をする。
【実施例１】
【００３１】
図１は本発明に係る第１の実施例としての情報送受信処理システム１００の構成例を示すブロック図である。
この実施例では、無線受信エリア内で送信情報を送受信処理する場合に、予め無線受信エリア内に複数の受信装置を配置し、かつ、当該受信装置間をカスケード接続して、無線受信処理システムを構築できるようにすると共に、複数の受信装置の中で最も信号品質の良い送信情報を受信した受信装置から送出されてくる受信信号に基づいて信号を処理できるようにしたものである。
【００３２】
図１に示す情報送受信処理システム１００は、無線受信エリア内で送信情報を送受信処理するシステムである。このシステム１００は、スタジオ無線撮影システムやステージ無線撮影システムに適用して好適である。情報送受信処理システム１００は、アンテナ８が取り付けられた送信装置４と、アンテナ１３が取り付けられた複数の受信装置１０１等と、信号処理装置６１から構成される。送信装置４は、無線受信エリア内を移動操作されて送信情報を取得し、この送信情報を無線電波にしてアンテナ８から送信するようになされる。送信装置４には、無線送信機能付きの撮影機や、ワイヤレスマイクロフォン等が使用される。
【００３３】
この送信装置４から見通せる無線受信エリア内には、例えば、３台の受信装置１０１、１０２、１０３が配置され、送信装置４から送信されてくる無線電波（送信情報）をアンテナ１３を介して各々受信するようになされる。３台の受信装置１０１、１０２、１０３は、単一の送信装置４からの送信情報を同時に受信するように動作する。
【００３４】
この例で、３台の受信装置１０１、１０２、１０３は、カスケード（縦列）接続される。各々の受信装置１０１、１０２、１０３には、図２に示すようなデータ入力端子１１と、データ出力端子１９とが設けられる。初段の受信装置１０１のデータ出力端子１９は、長さＬ１’の同軸ケーブル２１を通じて次段の受信装置１０２のデータ入力端子１１にカスケード接続される。受信装置１０１のデータ入力端子１１には図示しない終端抵抗等が接続される。受信装置１０２のデータ出力端子１９は、長さＬ２’の同軸ケーブル２２を通じて最終段の受信装置１０３のデータ入力端子１１にカスケード接続される。
【００３５】
この受信装置１０３のデータ出力端子１９は、長さＬ３’の同軸ケーブル２３を通じて信号処理装置６１のデータ入力端子１１に配線接続され、受信装置１０３から送出される受信信号に基づいて信号処理するようになされる。受信装置１０から信号処理装置６１に至る通信ケーブルの長さＬ０は、Ｌ１’＋Ｌ２’＋Ｌ３’であり、図１８に示した通信ケーブルＬ１の長さ分（３０ｍ）で済むようになる。
【００３６】
この例では、受信装置１０１において、送信装置４から受信した受信信号を直接、信号処理装置６１へ伝送するのではなく、まず、隣に位置する受信装置１０２まで伝送するようになされる。つまり、受信装置１０１で受信した信号は、受信装置１０２へ伝送される。受信装置１０２は、この装置自身が送信装置４から受信した受信信号の品質と、受信装置１０１から伝送されてきた受信信号の品質とを比較し、品質の良い信号のみを次の受信装置１０３若しくは信号処理装置６１へ伝送するようになされる（受信データのリレー制御）。
【００３７】
このような伝送方法を採ることにより、理論的には信号処理装置６１に入力する配線（同軸ケーブル２１〜２３）は一本で済むことになり、かつ、信号処理装置６１に到達する信号は、常にシステム内で最も品質の高い信号のみとなる。
【００３８】
図２は、受信装置１０２等の内部構成例を示すブロック図である。受信装置１０１及び１０３についても同じ構成を採るのでその説明を省略する。
図２に示す受信装置１０２は、データ入力端子１１、信号受信部１２、アンテナ１３、電波受信部１４、同期検出部１５、メモリＭ１、Ｍ２、データ出力端子１９及び信号比較送出手段２０を有している。アンテナ１３には、受信手段の一例となる電波受信部１４が接続される。電波受信部１４は、送信装置４からの電波信号（送信情報）をアンテナ１３を通じて受信する。
【００３９】
電波受信部１４は電波信号（送信電波）を受信すると、その電波信号を復調する。復調後の受信データＤIN０’、すなわち、送信装置４より送出されてくる送信情報には、送信装置４から送られてきたデータ信号（ＤＡＴＡ）の同期を取るための同期信号Ｓync、そしてデータ信号（ＤＡＴＡ）が含まれている。電波受信部１４は、電波信号を復調して際に得られたデータが、どのくらい誤っているかを示すビット誤り率（ＢＥＲ）を計測し、そのデータの品質を表す品質信号Ｓｑを生成する。
【００４０】
電波受信部１４は、送信装置４から受け取った受信データＤIN０’の全てに、復調した際に計測した品質信号Ｓｑを挿入したデータＤIN０を生成し、メモリＭ１に転送する。電波受信部１４にはメモリＭ１が接続され、この電波受信部１４から出力される受信データＤIN０を保持するようになされる。メモリＭ１には、ＲＡＭやＳＤＲＡＭが使用される。また、電波受信部１４は、データを復調した際に計測した品質信号Ｓｑを品質判定部１６に出力する。さらに、電波受信部１４は、同期信号Ｓyncを抽出して同期検出部１５に出力するようになされる。
【００４１】
一方、上述したデータ入力端子１１には信号受信部１２が接続され、前段の受信装置１０１から伝送されてきた受信データＤIN１をデータ入力端子１１を通じて受信する。信号受信部１２は受信データＤIN１を入力する。この受信データＤIN１には、前段の受信装置１０１から送られてきたデータ信号（ＤＡＴＡ）の同期を取るための同期信号Ｓync’、そのデータの品質を表す品質信号Ｓｑ’、そしてデータ信号（ＤＡＴＡ’）が含まれている。
【００４２】
信号受信部１２は、前段の受信装置１０１から受け取った受信データＤIN１の全てをメモリＭ２に転送する。信号受信部１２にはメモリＭ２が接続され、この信号受信部１２から出力される受信データＤIN１を保持するようになされる。メモリＭ２には、ＲＡＭやＳＤＲＡＭが使用される。また、信号受信部１２は、受信データＤIN１から品質信号Ｓｑ’を抽出して品質判定部１６に出力する。さらに、信号受信部１２は、同期信号Ｓync’を抽出して同期検出部１５に出力するようになされる。
【００４３】
上述のメモリＭ１及びＭ２には同期検出部１５が接続され、電波受信部１４から出力される同期信号Ｓyncと、信号受信部１２から出力される同期信号Ｓync’との時間ずれを検出して、新たな同期信号Ｓyncを発生し、メモリＭ１から読み出される受信データＤIN０及びメモリＭ２から読み出される受信データＤIN１の各々の出力タイミングを制御する。また、同期検出部１５は、新たに発生した同期信号Ｓyncを品質判定部１６に出力して、その判定タイミングを制御するようになされる。
【００４４】
また、メモリＭ１及びＭ２には同期検出部１５の他に信号比較選出手段２０が接続され、メモリＭ１から出力される品質信号Ｓｑと、メモリＭ２から出力される前段の受信装置１０１から送られてきた品質信号Ｓｑ’とを比較し、信号品質の良い方の受信データＤIN０又はＤIN１を後段の受信装置１０２に転送するようになされる。
【００４５】
信号比較選出手段２０は、品質判定部１６、データ選択部１７及びデータ出力部１８を有している。品質判定部１６では、メモリＭ１から読み出される品質信号Ｓｑと、メモリＭ２から読み出される前段の受信装置１０１から送られてきた品質信号Ｓｑ’とを新たに発生された同期信号Ｓyncのタイミングに基づいて比較し、品質を判定するようになされる。この比較判定結果で品質判定部１６は、データ選択信号Ｓｃを発生する。
【００４６】
品質判定部１６には、ＣＰＵやＭＰＵから成る判定器が使用される。品質判定部１６は、データ選択信号Ｓｃをデータ選択部１７に出力し、品質の優れている方の受信データＤIN０又はＤIN１を選択して信号送信部１８に送るように、このデータ選択部１７を制御する。
【００４７】
上述のデータ選択部１７及びデータ出力部１８は、中継器を構成する。データ選択部１７は、品質判定部１６から出力されるデータ選択信号Ｓｃによって信号品質の良い方の受信データＤIN０又はＤIN１を選択する。データ選択部１７には、データ出力部１８が接続され、選択後の受信データＤIN０又はＤIN１を送信データＤOUTとしてデータ出力端子１９を通じて後段の受信装置１０３等に転送するようになされる。
【００４８】
図３Ａ〜Ｃは、受信データＤIN０、ＤIN１及び送信データＤOUTのフォーマット（構造）例を示す図である。図３Ａに示す受信データＤIN０は、電波受信部１４から出力される復調後の信号である。受信データＤIN０には、送信装置４から送られてきたデータ信号（ＤＡＴＡ）の同期を取るための同期信号Ｓync、そのデータの品質を表す品質信号Ｓｑ、そしてデータ信号（ＤＡＴＡ）が含まれている。この３つの信号が、一定の間隔で規則正しく並んでいる。例えば、受信データＤIN０は、Ｓync１＋Ｓｑ１＋ＤＡＴＡ１に続いて、Ｓync２＋Ｓｑ２＋ＤＡＴＡ２、・・・・Ｓync２５６＋Ｓｑ２５６＋ＤＡＴＡ２５６から構成される。
【００４９】
図３Ｂに示す受信データＤIN１は、前段の受信装置１０１から信号受信部１２へ入力される信号である。前段の受信装置１０１から見れば、信号送信部１８から受信装置１０２へ出力される送信データＤOUTである。受信データＤIN１には、前段の受信装置１０１から送られてきたデータ信号（ＤＡＴＡ’）の同期を取るための同期信号Ｓync’、そのデータの品質を表す品質信号Ｓｑ’、そしてデータ信号（ＤＡＴＡ’）が含まれている。この３つの信号が、一定の間隔で規則正しく並んでいる。例えば、受信データＤIN１は、Ｓync１’＋Ｓｑ１’＋ＤＡＴＡ１’に続いて、Ｓync２’＋Ｓｑ２’＋ＤＡＴＡ２’、・・・・Ｓync２５６’＋Ｓｑ２５６’＋ＤＡＴＡ２５６’から構成される。
【００５０】
図３Ｃに示す送信データＤOUTは、信号送信１８から次段の受信装置１０３等へ出力される信号である。後段の受信装置１０３から見れば、当該信号受信部１２へ入力される受信データＤIN１である。送信データＤOUTには、次の受信装置１０３へ転送するデータ信号（ＤＡＴＡ）の同期を取るための同期信号Ｓync、そのデータの品質を表す品質信号Ｓｑ、そしてデータ信号（ＤＡＴＡ）が含まれている。この３つの信号が、一定の間隔で規則正しく並んでいる。例えば、品質の良いとされた受信信号が当該受信装置１０２で受信された受信データＤIN０である場合に、Ｓync１＋Ｓｑ１＋ＤＡＴＡ１に続いて、Ｓync２＋Ｓｑ２＋ＤＡＴＡ２、・・・・Ｓync２５６＋Ｓｑ２５６＋ＤＡＴＡ２５６から構成される送信データＤOUTが次段の受信装置１０３等に送出される。
【００５１】
このように、受信装置１０２等を構成すると、３台の受信装置１０１〜１０３の中で最も信号品質の良い送信電波を受信した受信装置１０２等の受信データＤIN１を抽出することができる。これにより、品質の良い受信信号（送信データＤOUT）のみを後段の受信装置１０３等に送出することができる。
【００５２】
しかも、送信装置４と、例えば、受信装置１０１との間が遮蔽された場合でも、他の受信装置１０２、１０３において、当該送信装置４から最適に受信された送信情報を信号処理装置６１に転送できるので、信号処理装置６１において、受信信号をとぎれないように信号処理をすることができる。従って、当該受信装置１０１〜１０３等を放送局のスタジオ無線撮影システムに十分に応用することができる。
【００５３】
続いて、本発明に係る情報送受信処理方法について説明をする。図４Ａ〜Ｄは、情報送受信処理システム１００におけるデータ比較選出処理例を示すタイムチャートである。図５Ａ〜Ｃは、３つの受信装置１０１〜１０３の各々のメモリＭ１、Ｍ２におけるデータ格納例を示す概念図である。
【００５４】
この実施例で、無線受信エリア内を移動操作される送信装置４から無線送信される送信情報を無線受信処理する場合であって、送信装置４から輻射された送信電波（送信情報）は、遮蔽物が無いと仮定した場合に、全ての受信装置１０１〜１０３に同時に届くことを前提とする。また、前段の受信装置１０１等で送信電波を受信してから、その受信データＤIN０又はＤIN１を選択して後段の受信装置１０２等へ伝送するまでにＴ［秒］を要する場合を例に挙げる。
【００５５】
更に、当該システム１００における品質判定処理は、初段から最終段に向けて順次推移するようになされる。この例では、受信装置１０２及び１０３の品質判定部１６で品質信号Ｓｑ、Ｓｑ’が比較され、信号送出部１８により送出し終わった受信データＤIN０や、ＤIN１等は、逐次削除（放棄）される。また、同一時刻のメモリ内容は、図５Ａ〜Ｃのような格納状態となる場合を示している。
【００５６】
これらを信号比較送出条件にして、送信装置４は、無線受信エリア内を移動操作されて送信情報を取得し、かつ、当該送信情報を無線送信する。予め無線受信エリア内に配置され、かつ、カスケード接続された３台の受信装置１０１〜１０３は、送信装置４から送信されてくる送信電波を受信する。
【００５７】
各々の受信装置１０１〜１０３の電波受信部１４は、送信電波（送信情報）を受信して受信データＤIN０をメモリＭ１に出力する。図４Ａに示す受信装置１０１のメモリＭ１には、現時点ｔ０で電波受信部１４から入力した、波線で囲んだ格納内容である梨地に示す受信データＤIN０が格納される。また、現時点ｔ０からＴ秒前の時刻ｔ−１には、斜線に示すような受信データＤIN０が格納されており、現時点ｔ０では削除されるものである。更に、現時点ｔ０から２×Ｔ秒前の時刻ｔ−２には、横線に示すような受信データＤIN０が格納されており、現時点ｔ０では削除されるものである。
【００５８】
つまり、図５Ａに示す受信装置１０１のメモリＭ１には、現時点ｔ＝ｔ０で送信装置４から受信した梨地に示す受信データＤIN０のみが格納される。図４Ａに示した斜線及び横線に示した受信データＤIN０は、現時点ｔ０では既に次段の受信装置１０２に送出しまっているので、図５ＡにおけるメモリＭ１内には存在しない。
【００５９】
なお、受信装置１０１のメモリＭ２は、当該受信装置１０１が初段に位置するので使用されず、空き状態となされる。これは受信装置１０１における品質判定処理が必要ないので、そのまま受信データＤIN０を送信データＤOUTとして次段の受信装置１０２に送出するためである。この時点ｔ−１及びｔ−２では、他の受信装置１０２及び１０３は、受信装置１０１からの受信データＤIN１が無いので、品質判定処理を保留し、図５Ｂ及びＣに示すように当該装置自身の受信データＤIN０をメモリＭ１に蓄積する。
【００６０】
また、図４Ａに示す現時点ｔ０からＴ秒後の時刻ｔ１には、「＊」記号に示すような受信データＤIN０が受信され、同様に時刻ｔ２には、小丸印に示すような受信データＤIN０が受信され、これらの受信データＤIN０がメモリＭ１に格納される場合を示している。
【００６１】
更に、図４Ｂに示す受信装置１０２のメモリＭ１には、現時点ｔ０で送信装置４から受信した、波線で囲んだ格納内容である梨地に示す受信データＤIN０及び、時刻ｔ−１における斜線に示した受信データＤIN０が格納される。つまり、図５Ｂに示す受信装置１０２のメモリＭ１には、現時点ｔ０で受信した梨地に示す受信データＤIN０と、時刻ｔ−１における斜線の受信データＤIN０とが格納される。斜線の受信データＤIN０は、前段の受信装置１０１から送られてくる斜線の受信データＤIN１と比較するために保持される。
【００６２】
また、図５Ｂに示す受信装置１０２のメモリＭ２の中には、Ｔ秒間ずれて、受信装置１０１から受信したばかりの斜線の受信データＤIN１が格納される。現時点ｔ０で信号比較検出手段２０は、前段の受信装置１０１から届いたばかりの斜線の受信データＤIN１と、メモリＭ１に既に格納されている時刻ｔ−１における斜線の受信データＤIN０との品質を比較して判定処理を実行する。この時点ｔ−１で、受信装置１０３は、受信装置１０２からの受信データＤIN１が無いので、品質判定処理を保留したまま、受信データＤIN０をメモリＭ１に蓄積する。
【００６３】
受信装置１０２では、メモリＭ１から品質判定部１６へ品質信号Ｓｑが出力される。信号受信部１２は、前段の受信装置１０１から送られてきた受信データＤIN１から品質信号Ｓｑ’を抽出して品質判定部１６に出力する。同期検出部１５はＴ秒間のずれを検出し、品質判定部１６及びメモリＭ１及びＭ２に新たな同期信号syncを出力する。品質判定部１６はこの同期信号Ｓyncに基づいて同じ受信データＤIN０、ＤIN１同士を比較するようになされる。
【００６４】
この判定結果に基づいて、次段の受信装置１０３に受信データＤIN０又は受信データＤIN１を送信データＤOUTとして送出する。なお、図４Ｂにおいて、受信装置１０２の時刻ｔ−２における横線で示した受信データＤIN０は、既に次段の受信装置１０３に送出してしまっているので、図５Ｂに示すようにメモリＭ１内には存在しない。
【００６５】
また、図４Ｃに示す受信装置１０３のメモリＭ１には、現時点ｔ０で送信装置４から受信した、波線で囲んだ格納内容である梨地に示す受信データＤIN０、時刻ｔ−１における斜線に示した受信データＤIN０及び時刻ｔ−２における斜線に示した受信データＤIN０が格納される（図５Ｃ参照）。横線の受信データＤIN０は、前段の受信装置１０２から送られてくる横線の受信データＤIN１と比較するために保持される。
【００６６】
つまり、図４Ｃに示す受信装置１０３のメモリＭ２の中には、更にＴ秒間、都合、２×Ｔ秒間ずれてやっと前段の受信装置１０２から受信した、横線に示す受信データＤIN１が格納される。この前段の受信装置１０２から届いた横線の受信データＤIN１は、信号比較送出手段２０でメモリＭ１に既に格納されている時刻ｔ−２における横線の受信データＤIN０と比較するようになされる。例えば、２×Ｔ秒間のずれを同期検出部１５で検出し、品質判定部１６で新たに発生された同期信号syncに基づいて同じ受信データＤIN０、ＤIN１同士を比較するようになされる。
【００６７】
受信装置１０３は、比較判定結果に基づいて、信号処理装置６１に受信データＤIN０又は受信データＤIN１を送信データＤOUTとして送出する。つまり、信号処理装置６１には、図４Ｄに示す送信データＤOUTが入力される。図４Ｄに示す最適な横線に示す送信データＤOUTは、次のように信号比較選出されたものである。現時点ｔ０から２×Ｔ秒前の時刻ｔ−２に、受信装置１０１で受信された受信データＤIN０が、ステップＰ１の時刻ｔ−１で受信装置１０２のメモリＭ２に転送される。
【００６８】
その後、ステップＰ２で受信装置１０２において、受信装置１０２のメモリＭ１から読み出された横線に示す受信データＤIN０と、そのメモリＭ２から読み出された横線に示す受信データＤIN０とが比較される。この比較結果、ステップＰ３の現時点ｔ０で、最適と判定された横線に示す受信データＤIN０又はＤIN１が受信装置１０３のメモリＭ２に転送される。
【００６９】
そして、ステップＰ４で受信装置１０３において、受信装置１０３のメモリＭ１から読み出された横線に示す受信データＤIN０と、そのメモリＭ２から読み出された、最適と判定された横線に示す受信データＤIN０とが比較される。この比較結果、最適と判定された横線に示す受信データＤIN０又はＤIN１が信号処理装置６１に出力される。この結果、信号処理装置６１は、受信装置１０３から送出される最も信号品質の良い受信データＤIN０又は受信データＤIN１に基づいて信号処理するようになる。なお、斜線、梨地、「＊」記号、小丸印に示す受信データＤIN０も同様に処理される。
【００７０】
このように、第１の実施例としての情報送受信処理システム及び情報送受信処理方法によれば、無線受信エリア内で送信情報を送受信処理する場合に、３台の受信装置１０１〜１０３が配置され、受信装置１０１−１０２間を同軸ケーブル２１で、受信装置１０２−１０３間を同軸ケーブル２２で、受信装置１０３−信号処理装置６１間を同軸ケーブル２３で、ディジーチェーンのように接続して無線受信処理システムを構築できるので、従来方式のように受信装置１０１〜１０３毎に、通信ケーブル等の配線を引き廻す必要がなくなる。
【００７１】
しかも、受信装置を増やす場合は、当該システム１００で最先端に接続された受信装置１０１に増設用の受信装置をカスケード接続するだけで容易にシステム１００を拡張することができる。また、送信装置４が無線受信エリア内を移動して、それぞれの受信装置１０１〜１０３における送信電波の受信状況が変化した場合でも、それぞれの受信装置１０１〜１０３がその送信電波の変化に適応して、リアルタイムに常に品質の良い受信データＤIN０及びＤIN１を判定し、最適な送信データＤOUTを信号処理装置６１へ伝送することができる。
【００７２】
従って、信号処理装置６１に到達する送信データＤOUTは、常に情報送受信処理システム１００で受信した送信電波のうち、最高品質の送信電波のみであり、受信装置１０３から送出される送信データＤOUTに関して、信号処理装置６１で改めて品質判定をする必要がなくなる。
【００７３】
なお、受信装置１０３は、３×Ｔ秒分のメモリ容量を具備すれば、正確に受信データＤIN０やＤIN１の品質比較を実行することができる。これは、受信装置１０３で２×Ｔ秒間だけ品質判定処理を保留するようになされる。このことから、受信装置１０３のメモリＭ１には、２×Ｔ秒間分の受信データＤIN０と、現時点で送信装置４から受信されるＴ秒間分の受信データＤIN０とを格納できるメモリ容量を準備するようになされる。
【００７４】
また、受信装置１０２については、１×Ｔ秒間の品質判定処理を保留するようになされる。従って、受信装置１０２のメモリＭ１には、１×Ｔ秒間分の受信データＤIN０と、現時点で送信装置４から受信されるＴ秒間分の受信データＤIN０とを格納できるメモリ容量を準備するようになされる。
【実施例２】
【００７５】
図６は、本発明に係る第２の実施例としてのスタジオ無線撮影システム２００の構成例を示す概念図である。図７は、その構成例を示すブロック図である。
この実施例では、第１の実施例で説明した情報送受信処理システムを応用してスタジオ無線撮影システム２００を構成し、受信装置を増加した場合でも、通信ケーブル等の配線本数を低減できるようにすると共に、最適な受信信号をマスタールームに転送できるようにしたものである。
【００７６】
図６に示すスタジオ無線撮影システム２００は、放送局のスタジオ５０等において、無線送信機能付きのテレビカメラ４０により被写体を撮影し、複数の受信装置で送信情報（無線電波）を受信し、受信装置からマスタールーム６０等へ撮影信号を転送するようになされる。
【００７７】
例えば、スタジオ５０内には、９台の受信装置２０１〜２０９と、送信装置の一例となる１台の無線送信機能付きのテレビカメラ４０が備えられる。テレビカメラ４０は、信号ケーブルレス型及びバッテリー駆動型であって、キャスタ付きの台座上にカメラ本体を備え、スタジオ内を自在に移動可能なようになされる。カメラ本体にはアンテナ８及び無線送信機能が備えられ、送信電波（送信情報）をアンテナ８から輻射するようになされる。スタジオ外部には、マスタールーム６０が準備され、このマスタールーム６０には、信号処理装置６が配置される。
【００７８】
この例で、スタジオ５０の天井には、格子状に取り付け部材が設けられる。この取り付け部材の各々の格子点には、それぞれ受信装置２０１等が取り付けられる。受信装置２０１等は天井面に限られることはなく、その壁面に取り付けるようにしてもよい。受信装置２０１〜２０９の各々には、図２に示した受信装置１０２等が使用される。これらの受信装置２０１〜２０９の各々は、送信電波（送信情報）を受信するＳＤＩ変換器を構成するものである。
【００７９】
このスタジオ無線撮影システム２００において、３台の受信装置２０１〜２０３等がカスケード接続された無線受信処理システムを１系統としたとき、ｎ＝３系統の無線受信処理システムＩ〜IIIが構成される。この例で受信装置２０１〜２０３は図７に示すように、第１系統の無線受信処理システムＩを構成する。初段の受信装置２０１と次段の受信装置２０２とは同軸ケーブル２１を通じてカスケード接続される。受信装置２０２とこの系統の最終段の受信装置２０３とは同軸ケーブル２２を通じてカスケード接続される。受信装置２０３とマスタールーム６０内の信号処理装置６とは、同軸ケーブル２３を通じて配線接続される。
【００８０】
また、受信装置２０４〜２０６は第２系統の無線受信処理システムIIを構成する。初段の受信装置２０４と次段の受信装置２０５とは同軸ケーブル２４を通じてカスケード接続される。受信装置２０５とこの系統の最終段の受信装置２０６とは同軸ケーブル２５を通じてカスケード接続される。受信装置２０６とマスタールーム６０内の信号処理装置６とは、同軸ケーブル２６を通じて配線接続される。
【００８１】
更に、受信装置２０７〜２０９は第３系統の無線受信処理システムIIIを構成する。初段の受信装置２０７と次段の受信装置２０８とは同軸ケーブル２７を通じてカスケード接続される。受信装置２０８とこの系統の最終段の受信装置２０９とは同軸ケーブル２５を通じてカスケード接続される。受信装置２０９とマスタールーム６０内の信号処理装置６とは、同軸ケーブル２９を通じて配線接続される。
【００８２】
マスタールーム６０内に設けられた信号処理装置６は、第１〜第３系統の無線受信処理システムＩ〜IIIから出力される最適と判別された３つの送信データＤOUTの中から、最も品質の良い受信データＤIN０又はＤIN１を選択する機能を有している。信号処理装置６には、映像信号を編集可能なパーソナルコンピュータや映像サーバー等が使用される。
【００８３】
図８は、スタジオ無線撮影システム２００における同時受信例（その１）を示す概念図である。この例では、遮蔽物が無い場合の第１系統の無線受信処理システムＩのみを抜粋して示している。他の第２及び３系統の無線受信処理システムII、IIIにおいても同様なことが言えるのでその説明は省略する。
【００８４】
図８に示す無線受信処理システムＩにおいて、テレビカメラ４０からアンテナ８を通じて輻射された送信電波は、その見通し範囲内に遮蔽物が無い場合、３台の受信装置２０１〜２０３において同時に受信される。この受信装置２０１〜２０３の中でも、最も良質な受信信号がマスタールーム６０に転送される。
【００８５】
図９は、スタジオ無線撮影システム２００における同時受信例（その２）を示す概念図である。この例では、遮蔽物５が存在する場合の第１系統の無線受信処理システムＩのみを抜粋して示している。他の第２及び３系統の無線受信処理システムII、IIIにおいても同様なことが言えるのでその説明は省略する。
【００８６】
図９に示す無線受信処理システムＩによれば、テレビカメラ４０が受信装置２０２の取り付けた真下等の位置に移動されたような場合であって、そのアンテナ８から受信装置２０１〜２０３を見通したとき、例えば、アンテナ８と受信装置２０１との間に遮蔽物５が存在する場合である。この場合、テレビカメラ４０のアンテナ８を通じて輻射された、エラーが少ない、最も信号品質の良い送信電波（送信情報）は、その見通し範囲内に存在する受信装置２０２において最適に受信される。
【００８７】
受信装置２０１においては、アンテナ８と当該受信装置２０１との間に遮蔽物５が存在することから、エラーが多く、信号品質の悪い送信電波が受信される。受信装置２０３においては、アンテナ８と当該受信装置２０１との間に遮蔽物５が存在しないが、見通し距離が長いことから、受信装置２０２よりも、信号品質が劣る送信電波が受信される。
【００８８】
受信装置２０２では、当該装置自身が受信したエラーが少ない送信電波に基づく受信データＤIN０と、受信装置２０１から受信したエラーが多い送信電波に基づく受信データＤIN１とが比較される。受信装置２０２では前者を選択するので、当該装置自身が受信したエラーが少ない、最も信号品質の良い受信データＤIN０を次段の受信装置２０３に出力する。
【００８９】
このような無線受信処理条件において、第１の実施例で説明したような信号比較送出機能を有する受信装置２０３では、テレビカメラ４０から輻射された、エラーが少ない、最も信号品質の良い送信電波に基づく受信装置２０２で受信した受信データＤIN０を抽出し、この受信データＤIN０を最も良質な送信データＤOUTとしてマスタールーム６０に転送するようになされる。
【００９０】
図１０は、スタジオ無線撮影システム２００における同時受信例（その３）を示す概念図である。図１１は、テレビカメラ後退時の同時受信例を示す概念図である。
この例では、遮蔽物５が存在する場合であって、テレビカメラ後退時の第１系統の無線受信処理システムＩのみを抜粋して示している。他の第２及び３系統の無線受信処理システムII、IIIにおいても同様なことが言えるのでその説明は省略する。
【００９１】
図１０に示すスタジオ無線撮影システム２００によれば、テレビカメラ４０が受信装置２０２の取り付けた真下等の位置から、スタジオの右奥方向に後退されたような場合であって、そのアンテナ８から受信装置２０１〜２０３を見通したとき、例えば、アンテナ８と受信装置２０２との間に遮蔽物５が存在する位置関係になり、受信装置２０１の見通しが良くなった場合である。
【００９２】
この場合、図１１に示すテレビカメラ４０のアンテナ８を通じて輻射された、エラーが少ない送信電波（送信情報）は、その見通し範囲内に存在する受信装置２０１において最適に受信される。
【００９３】
受信装置２０２においては、アンテナ８と当該受信装置２０１との間に遮蔽物５が存在することから、エラーが多い送信電波が受信される。受信装置２０３においては、アンテナ８と当該受信装置２０１との間に遮蔽物５が存在するばかりか、見通し距離が長いことから、受信装置２０２よりも、更に信号品質が劣る送信電波が受信される。
【００９４】
受信装置２０１では、当該装置自身が受信したエラーが少ない、最も信号品質の良い送信電波に基づく受信データＤIN０が受信装置２０２に送出される。受信装置２０２では、当該装置自身が受信したエラーが多く、信号品質の悪い送信電波に基づく受信データＤIN０と、受信装置２０１から受信した受信データＤIN０が比較される。受信装置２０２では後者を選択するので、受信装置２０１が受信したエラーが少ない、最も信号品質の良い受信データＤIN１を次段の受信装置２０３に出力するようにリレー（送出継続）する。
【００９５】
このような無線受信処理条件において、第１の実施例で説明したような信号比較送出機能を有する受信装置２０３では、当該装置自身が受信したエラーが多い送信電波に基づく受信データＤIN０と、受信装置２０２から受信した受信データＤIN１が比較される。受信装置２０３では後者を選択する。これにより、テレビカメラ４０から輻射された、エラーが少ない送信電波に基づく受信装置２０１で受信した受信データＤIN１を抽出し、この受信データＤIN１を最も良質な送信データＤOUTとしてマスタールーム６０に転送するようになされる。
【００９６】
このように、第２の実施例に係るスタジオ無線撮影システム２００によれば、第１の実施例で説明した情報送受信処理システムが応用されるので、無線受信処理システムを３系統に増加し、受信装置を増加した場合でも、通信ケーブル等の配線本数を低減できるようになる。また、図９〜図１１に示したように、見通し範囲に遮蔽物５が存在する場合であっても、最適な送信データＤOUTをマスタールーム６０に転送できるようになる。
【００９７】
この例では、情報送受信処理システムに関してスタジオ無線撮影システム２００について説明したが、これに限られることはなく、ステージ無線撮影システムに応用してもよい。ステージ無線撮影システムでは、劇場のステージにおいて、無線撮影機により被写体を撮影し、複数の受信装置で送信情報（無線電波）を受信し、受信装置からマスタールーム等へ撮影信号を転送するようになされる。
【実施例３】
【００９８】
図１２は、第３の実施例に係る情報送受信処理システム３００の構成例を示すブロック図である。
この実施例では、第２の実施例で説明したような９台の受信装置３０１〜３０９が全てカスケード接続されて構成されるものである。このようにシステム３００を構成すると、通信ケーブルを実質１本で配線できるようになる。
【００９９】
図１２に示す情報送受信処理システム３００は、送信装置４と、９台の受信装置３０１〜３０９と、１台の信号処理装置６１から構成される。この例で、受信装置３０１と、次段の受信装置３０２とは同軸ケーブル３１により接続される。受信装置３０２と、次段の受信装置３０３とは同軸ケーブル３２により接続される。受信装置３０３と、次段の受信装置３０４とは同軸ケーブル３３により接続される。受信装置３０４と、次段の受信装置３０５とは同軸ケーブル３４により接続される。受信装置３０５と、次段の受信装置３０６とは同軸ケーブル３５により接続される。
【０１００】
また、受信装置３０６と、次段の受信装置３０７とは同軸ケーブル３６により接続される。受信装置３０７と、次段の受信装置３０８とは同軸ケーブル３７により接続される。受信装置３０８と、次段の受信装置３０９とは同軸ケーブル３８により接続される。最終段の受信装置３０９と、信号処理装置６１とは同軸ケーブル３９により接続される。
【０１０１】
この例の信号処理装置６１は、第２の実施例で説明した信号処理装置６に比べて、一系統の無線受信処理システムから出力される最適と判別された１つの送信データＤOUTに基づいて信号処理をすることができ、第２の実施例のように、３つの系統の中から、最も品質の良い受信データＤIN０又はＤIN１を選択するというような機能を省略することができる。９台の受信装置３０１〜３０９には、図２に示したような受信装置１０２が使用される。
【０１０２】
なお、各々の受信装置３０１〜３０９におけるメモリＭ１の容量については、次のような関係のメモリが準備される。受信装置３０１のメモリＭ１でＴ１秒分のデータを格納する場合を基準としたとき、受信装置３０２では２×Ｔ秒分のメモリ容量が準備され、受信装置３０３では３×Ｔ秒分、同様にして、受信装置３０４では４×Ｔ秒分、受信装置３０５では５×Ｔ秒分、受信装置３０６では６×Ｔ秒分、受信装置３０７では７×Ｔ秒分、受信装置３０８では８×Ｔ秒分、受信装置３０９では９×Ｔ秒分のメモリ容量が各々準備される。
【０１０３】
このように、第３の実施例に係るスタジオ無線撮影システム３００によれば、第１の実施例で説明した情報送受信処理システムが応用されるので、９台の受信装置３０１〜３０９を使用した場合でも、各々の受信装置間がカスケード接続されて１系統の無線受信処理システムを構築することができ、実質１本の通信ケーブルに低減できるようになる。なお、図示せずも、見通し範囲に遮蔽物が存在する場合であっても、第１及び第２の実施例と同様にして、最適な送信データＤOUTを信号処理装置６１に転送できるようになる。
【実施例４】
【０１０４】
図１３は、第４の実施例としての情報送受信処理システム４００の構成例を示すブロック図である。
この実施例では、第２の実施例で説明したような９台の受信装置３０１〜３０９が３系統に分岐され、信号処理装置６１に近い受信装置４０６、４０９の内部構造を工夫して、同軸ケーブルを樹脂状に配線した情報送受信処理システム４００を構成するようにしたものである。
【０１０５】
この例では、受信装置４０６で受信した送信情報に係る受信データＤIN０と、１又は２以上、つまり、前段の受信装置４０３から送られてきた受信データＤIN１と受信装置４０５から送られてきた受信データＤIN２とを比較し、この比較結果で信号品質の良い方の受信データを選択して後段の受信装置４０９に転送するような信号比較選出処理を実行する。
【０１０６】
図１３に示すスタジオ無線撮影システム４００は、送信装置４と、９台の受信装置４０１〜４０９と、１台の信号処理装置６１から構成される。このシステム４００において、３台の受信装置４０１〜４０３がカスケード接続された無線受信処理システムを１系統としたとき、ｎ＝３系統の無線受信処理システムＩ〜IIIが構成される。
【０１０７】
この例で受信装置４０１〜４０３は図１３に示すように、第１系統の無線受信処理システムＩを構成する。初段の受信装置４０１と次段の受信装置４０２とは同軸ケーブル４１を通じてカスケード接続される。受信装置４０２とこの系統の最終段の受信装置４０３とは同軸ケーブル４２を通じてカスケード接続される。
【０１０８】
また、受信装置４０４〜４０６は第２系統の無線受信処理システムIIを構成する。初段の受信装置４０４と次段の受信装置４０５とは同軸ケーブル４４を通じてカスケード接続される。受信装置４０５とこの系統の最終段の受信装置４０６とは同軸ケーブル４５を通じてカスケード接続される。なお、受信装置４０６と上述の受信装置４０３とは、同軸ケーブル４３を通じて配線接続される。
【０１０９】
更に、受信装置４０７〜４０９は第３系統の無線受信処理システムIIIを構成する。初段の受信装置４０７と次段の受信装置４０８とは同軸ケーブル４７を通じてカスケード接続される。受信装置４０８とこの系統の最終段の受信装置４０９とは同軸ケーブル４５を通じてカスケード接続される。なお、受信装置４０９と上述の受信装置４０６とは、同軸ケーブル４６を通じて配線接続され、受信装置４０９とマスタールーム６０内の信号処理装置６１とは、同軸ケーブル４９を通じて配線接続される。
【０１１０】
マスタールーム６０内に設けられた信号処理装置６１は、受信装置４０９から出力される最適と判別された送信データＤOUTに基づいて信号処理するようになされる。信号処理装置６１には、映像信号を編集可能なパーソナルコンピュータや映像サーバー等が使用される。信号処理装置６１は、第２の実施例のように、３つの系統の中から、最も品質の良い受信データＤIN０又はＤIN１を選択するというような機能を省略することができる。７台の受信装置４０１〜４０５、４０７及び４０８には、図２に示したような受信装置１０２がそのまま使用される。受信装置４０６、４０９については、図１４に示すような構成のものが使用される。
【０１１１】
図１４は、受信装置４０６の内部構成例を示すブロック図である。受信装置４０９についても同じ構成を採るのでその説明を省略する。
図１４に示す受信装置４０６は、データ入力端子１１、５１、信号受信部１２、５２、アンテナ１３、電波受信部１４、同期検出部５５、メモリＭ１、Ｍ２、Ｍ３、データ出力端子１９及び信号比較送出手段７０を有している。アンテナ１３には、電波受信部１４が接続される。電波受信部１４は、送信装置４からの電波信号（送信情報）をアンテナ１３を通じて受信する。
【０１１２】
電波受信部１４は電波信号を受信すると、その電波信号を復調する。復調後の受信データＤIN０’、すなわち、送信装置４より送出されてくる送信情報には、送信装置４から送られてきたデータ信号（ＤＡＴＡ）の同期を取るための同期信号Ｓync、そしてデータ信号（ＤＡＴＡ）が含まれている。電波受信部１４は、電波信号を復調して際に得られたデータが、どのくらい誤っているかを示すビット誤り率（ＢＥＲ）を計測し、そのデータの品質を表す品質信号Ｓｑを生成する。
【０１１３】
電波受信部１４は、送信装置４から受け取った受信データＤIN０’の全てに、復調した際に計測した品質信号Ｓｑを挿入したデータＤIN０を生成し、メモリＭ１に転送する。電波受信部１４にはメモリＭ１が接続され、この電波受信部１４から出力される受信データＤIN０を保持するようになされる。メモリＭ１には、ＲＡＭやＳＤＲＡＭが使用される。また、電波受信部１４は、データを復調した際に計測した品質信号Ｓｑを品質判定部１６に出力する。さらに、電波受信部１４は、同期信号Ｓyncを抽出して同期検出部５５に出力するようになされる。
【０１１４】
一方、上述したデータ入力端子１１には信号受信部１２が接続され、例えば、第１系統の受信装置４０３から伝送されてきた受信データＤIN１をデータ入力端子１１を通じて受信する。信号受信部１２は受信データＤIN１を入力する。この受信データＤIN１には、前段の受信装置４０３から送られてきたデータ信号（ＤＡＴＡ）の同期を取るための同期信号Ｓync’、そのデータの品質を表す品質信号Ｓｑ’、そしてデータ信号（ＤＡＴＡ’）が含まれている。
【０１１５】
信号受信部１２は、前段の受信装置４０３から受け取った受信データＤIN１の全てをメモリＭ２に転送する。信号受信部１２にはメモリＭ２が接続され、この信号受信部１２から出力される受信データＤIN１を保持するようになされる。メモリＭ２には、ＲＡＭやＳＤＲＡＭが使用される。また、信号受信部１２は、受信データＤIN１から品質信号Ｓｑ’を抽出して品質判定部５６に出力する。さらに、信号受信部１２は、同期信号Ｓync’を抽出して同期検出部５５に出力するようになされる。
【０１１６】
また、データ入力端子５１には信号受信部５２が接続され、例えば、第２系統の受信装置４０５から伝送されてきた受信データＤIN２をデータ入力端子５１を通じて受信する。信号受信部５２は受信データＤIN２を入力する。この受信データＤIN２には、受信装置４０５から送られてきたデータ信号（ＤＡＴＡ）の同期を取るための同期信号Ｓync’’、そのデータの品質を表す品質信号Ｓｑ’’、そしてデータ信号（ＤＡＴＡ’’）が含まれている。
【０１１７】
信号受信部５２は、受信装置４０５から受け取った受信データＤIN２の全てをメモリＭ３に転送する。信号受信部５２にはメモリＭ３が接続され、この信号受信部５２から出力される受信データＤIN２を保持するようになされる。メモリＭ３には、ＲＡＭやＳＤＲＡＭが使用される。また、信号受信部５２は、受信データＤIN２から品質信号Ｓｑ’’を抽出して品質判定部５６に出力する。さらに、信号受信部５２は、同期信号Ｓync’’を抽出して同期検出部５５に出力するようになされる。
【０１１８】
上述のメモリＭ１、Ｍ２及びＭ３には同期検出部５５が接続され、電波受信部１４から出力される同期信号Ｓyncと、信号受信部１２から出力される同期信号Ｓync’と、信号受信部５２から出力される同期信号Ｓync’’との時間ずれを検出して、新たな同期信号Ｓyncを発生し、メモリＭ１から読み出される受信データＤIN０、メモリＭ２から読み出される受信データＤIN１及びメモリＭ３から読み出される受信データＤIN２の各々の出力タイミングを制御する。また、同期検出部５５は、新たに発生した同期信号Ｓyncを品質判定部５６に出力して、その判定タイミングを制御するようになされる。
【０１１９】
また、メモリＭ１、Ｍ２及びＭ３には同期検出部５５の他に信号比較選出手段７０が接続され、メモリＭ１から出力される品質信号Ｓｑと、メモリＭ２から出力される受信装置４０３から送られてきた品質信号Ｓｑ’と、メモリＭ３から出力される受信装置４０５から送られてきた品質信号Ｓｑ’’とを比較し、信号品質の良い方の受信データＤIN０、ＤIN１又はＤIN２を選択するようになされる。
【０１２０】
信号比較選出手段７０は、品質判定部５６、データ選択部５７及び信号送信部１８を有している。品質判定部５６では、メモリＭ１から読み出される品質信号Ｓｑと、メモリＭ２から読み出される受信装置４０３から送られてきた品質信号Ｓｑ’と、メモリＭ３から読み出される受信装置４０５から送られてきた品質信号Ｓｑ’’とを新たに発生された同期信号Ｓyncのタイミングに基づいて比較し、品質を判定するようになされる。この比較判定結果で品質判定部５６は、データ選択信号Ｓｃ’を発生する。
【０１２１】
品質判定部５６には、ＣＰＵやＭＰＵから成る判定器が使用される。品質判定部５６は、データ選択信号Ｓｃ’をデータ選択部５７に出力し、品質の優れている方の受信データＤIN０、ＤIN１又はＤIN２を選択して信号送信部１８に送るように、このデータ選択部５７を制御する。
【０１２２】
上述のデータ選択部５７及び信号送信部１８は、中継器を構成する。データ選択部５７は、品質判定部５６から出力されるデータ選択信号Ｓｃ’によって信号品質の良い方の受信データＤIN０、ＤIN１又はＤIN２のいずれかを選択する。データ選択部５７には、信号送信部１８が接続され、選択後の受信データＤIN０、ＤIN１又はＤIN２を送信データＤOUTとしてデータ出力端子１９を通じて後段の受信装置４０９等に転送するようになされる。
【０１２３】
図１５Ａ〜Ｄは、受信データＤIN０、ＤIN１、ＤIN２及び送信データＤOUTのフォーマット（構造）例を示す図である。図１５Ａに示す受信データＤIN０は、電波受信部１４から出力される復調後の受信情報である。受信データＤIN０には、送信装置４から送られてきたデータ信号（ＤＡＴＡ）の同期を取るための同期信号Ｓync、そのデータの品質を表す品質信号Ｓｑ、そしてデータ信号（ＤＡＴＡ）が含まれている。この３つの信号が、一定の間隔で規則正しく並んでいる。例えば、受信データＤIN０は、Ｓync１＋Ｓｑ１＋ＤＡＴＡ１に続いて、Ｓync２＋Ｓｑ２＋ＤＡＴＡ２、・・・・Ｓync２５６＋Ｓｑ２５６＋ＤＡＴＡ２５６から構成される。
【０１２４】
図１５Ｂに示す受信データＤIN１は、第１系統の受信装置４０３から信号受信部１２へ入力される信号である。受信装置４０３から見れば、信号送信部１８から受信装置４０６へ出力される送信データＤOUTである。受信データＤIN１には、受信装置４０３から送られてきたデータ信号（ＤＡＴＡ’）の同期を取るための同期信号Ｓync’、そのデータの品質を表す品質信号Ｓｑ’、そしてデータ信号（ＤＡＴＡ’）が含まれている。この３つの信号が、一定の間隔で規則正しく並んでいる。例えば、受信データＤIN１は、Ｓync１’＋Ｓｑ１’＋ＤＡＴＡ１’に続いて、Ｓync２’＋Ｓｑ２’＋ＤＡＴＡ２’、・・・・Ｓync２５６’＋Ｓｑ２５６’＋ＤＡＴＡ２５６’から構成される。
【０１２５】
図１５Ｃに示す受信データＤIN２は、第２系統の受信装置４０５から信号受信部５２へ入力される信号である。受信装置４０５から見れば、信号送信部１８から受信装置４０６へ出力される送信データＤOUTである。受信データＤIN２には、受信装置４０５から送られてきたデータ信号（ＤＡＴＡ’’）の同期を取るための同期信号Ｓync’’、そのデータの品質を表す品質信号Ｓｑ’’、そしてデータ信号（ＤＡＴＡ’’）が含まれている。この３つの信号が、一定の間隔で規則正しく並んでいる。例えば、受信データＤIN２は、Ｓync１’’＋Ｓｑ１’’＋ＤＡＴＡ１’’に続いて、Ｓync２’’＋Ｓｑ２’’＋ＤＡＴＡ２’’、・・・・Ｓync２５６’’＋Ｓｑ２５６’’＋ＤＡＴＡ２５６’’から構成される。
【０１２６】
図１５Ｄに示す送信データＤOUTは、信号送信１８から次段の受信装置４０９等へ出力される信号である。後段の受信装置４０６から見れば、当該信号受信部１２へ入力される受信データＤIN１である。送信データＤOUTには、次の受信装置４０９へ転送するデータ信号（ＤＡＴＡ）の同期を取るための同期信号Ｓync、そのデータの品質を表す品質信号Ｓｑ、そしてデータ信号（ＤＡＴＡ）が含まれている。この３つの信号が、一定の間隔で規則正しく並んでいる。例えば、品質の良いとされた受信信号が当該受信装置４０６で受信された受信データＤIN０である場合に、Ｓync１＋Ｓｑ１＋ＤＡＴＡ１に続いて、Ｓync２＋Ｓｑ２＋ＤＡＴＡ２、・・・・Ｓync２５６＋Ｓｑ２５６＋ＤＡＴＡ２５６から構成される送信データＤOUTが次段の受信装置４０９に送出される。受信装置４０９は受信装置４０６と同じ構成を採るので、上述した機能を発揮する。
【０１２７】
このように、受信装置４０６等を構成すると、２系統の受信装置４０３及び４０５から受信した受信データＤIN１、ＤIN２と、当該装置自身で受信した受信データＤIN０の中で最も信号品質の良い受信データを抽出することができる。これにより、品質の良い受信データのみを選択して後段の受信装置４０９に送出することができる。受信装置４０９は、品質の良い受信データのみを後段の信号処理装置６１に出力するようになる。
【０１２８】
しかも、送信装置４と、例えば、受信装置４０１との間が遮蔽された場合でも、他の受信装置４０２〜４０９において、当該送信装置４から最適に受信された送信情報を信号処理装置６１に転送できるので、信号処理装置６１において、受信データをとぎれないように信号処理をすることができる。従って、当該受信装置４０１〜４０９等を放送局のスタジオ無線撮影システムに十分に応用することができる。
【産業上の利用可能性】
【０１２９】
この発明は、劇場のステージや、放送局のスタジオ等において、無線撮影機により被写体を撮影し、複数の受信装置で送信情報（無線電波）を受信し、受信装置からマスタールームへ撮影信号等を転送するスタジオ無線撮影システム等に適用して極めて好適である。
【図面の簡単な説明】
【０１３０】
【図１】本発明に係る第１の実施例としての情報送受信処理システム１００の構成例を示すブロック図である。
【図２】受信装置１０２等の内部構成例を示すブロック図である。
【図３】（Ａ）〜（Ｃ）は、受信データＤIN０、ＤIN１及び送信データＤOUTのフォーマット例を示す図である。
【図４】（Ａ）〜（Ｄ）は、情報送受信処理システム１００におけるデータ比較選出処理例を示すタイムチャートである。
【図５】（Ａ）〜（Ｃ）は、３つの受信装置１０１〜１０３の各々のメモリＭ１、Ｍ２におけるデータ格納例を示す概念図である。
【図６】本発明に係る第２の実施例としてのスタジオ無線撮影システム２００の構成例を示す概念図である。
【図７】スタジオ無線撮影システム２００の構成例を示すブロック図である。
【図８】スタジオ無線撮影システム２００における同時受信例（その１）を示す概念図である。
【図９】スタジオ無線撮影システム２００における同時受信例（その２）を示す概念図である。
【図１０】スタジオ無線撮影システム２００における同時受信例（その３）を示す概念図である。
【図１１】テレビカメラ後退時の同時受信例を示す概念図である。
【図１２】第３の実施例に係る情報送受信処理システム３００の構成例を示すブロック図である。
【図１３】第４の実施例としての情報送受信処理システム４００の構成例を示すブロック図である。
【図１４】受信装置４０６の内部構成例を示すブロック図である。
【図１５】Ａ〜Ｄは、受信データＤIN０、ＤIN１、ＤIN２及び送信データＤOUTのフォーマット例を示す図である。
【図１６】従来例に係る第１の無線送受信システム１０の構成例を示すブロック図である。
【図１７】従来例に係る第２の無線送受信システム８０の構成例を示すブロック図である。
【符号の説明】
【０１３１】
４・・・送信装置、６，６１・・・信号処理装置、２０，７０・・・信号比較送出手段、１２・・・信号受信部、１４・・・電波受信部（受信手段）、１５，５５・・・同期検出部、１６，５６・・・品質判定部（判定器）、１７，５７・・・データ選択部（中継器）、１８・・・信号送信部（中継器）、２１〜２９，３１〜３９，４０，４０ａ，４０ｂ・・・無線送信機能付きのテレビカメラ（送信装置）、４１〜４９・・・同軸ケーブル、１００，３００，４００・・・情報送受信処理システム、１０１〜１０３，２０１〜２０９，３０１〜３０９，４０１〜４０９・・・受信装置、２００，５００・・・スタジオ無線撮影システム
【図１】
2005260695.tif 000003
【図２】
2005260695.tif 000004
【図３】
2005260695.tif 000005
【図４】
2005260695.tif 000006
【図５】
2005260695.tif 000007
【図６】
2005260695.tif 000008
【図７】
2005260695.tif 000009
【図８】
2005260695.tif 000010
【図９】
2005260695.tif 000011
【図１０】
2005260695.tif 000012
【図１１】
2005260695.tif 000013
【図１２】
2005260695.tif 000014
【図１３】
2005260695.tif 000015
【図１４】
2005260695.tif 000016
【図１５】
2005260695.tif 000017
【図１６】
2005260695.tif 000018
【図１７】
2005260695.tif 000019